(57)【要約】  【課題】  プローブを好適に装着することが可能な生体光計測装置を提供する。  【解決手段】  被検体に光導波路を介して光を照射する光照射手段（２，３）と、光照射手段（２，３）から照射され被検体内部を伝播した光を光導波路を介して集光する集光手段（２，３）とを備えたプローブ（２，３）と、円筒形状をしていて中にプローブ（２，３）を挿入することによりプローブ（２，３）を保持するソケット（１）とを備え、被検体内部の代謝物を計測するようにした生体光計測装置において、プローブ（２，３）には溝（１０）が設けられ、ソケット（１）は円筒形状の内面に突起部（９）が設けられ、溝（１０）に突起部（９）を嵌め合わせることにより、プローブ（２，３）はソケット（１）に固定される。【選択図】      図１
2006201114.tif 000002
【特許請求の範囲】
【請求項１】
被検体に光導波路を介して光を照射する光照射手段と、該光照射手段から照射され前記被検体内部を伝播した光を光導波路を介して集光する集光手段とを備えたプローブと、円筒形状をしていて中に前記プローブを挿入することにより前記プローブを保持するソケットとを備え、前記被検体内部の代謝物を計測するようにした生体光計測装置において、前記プローブには溝が設けられ、前記ソケットは前記円筒形状の内面に突起部が設けられ、前記溝に前記突起部を嵌め合わせることにより、前記プローブは前記ソケットに固定されることを特徴とする生体光計測装置。
【発明の詳細な説明】
【技術分野】
【０００１】
本発明は生体光計測装置に係り、特に、プローブを好適に装着することが可能な生体光計測装置に関する。
【背景技術】
【０００２】
生体光計測装置は、可視から近赤外領域の波長の光を生体に照射し、生体内部を透過して来た光を検出することで、例えば、生体内部の血液循環、血行動態およびヘモグロビン濃度の変化等の生体内部の生体情報を、簡便に、被検者に対して低拘束でかつ生体に対して非侵襲な方法で計測できる装置である。
【０００３】
生体光計測装置における被検体である生体の生体光計測では、例えば、3×3や4×4の各格子点にそれぞれ交互に配設された照射用光ファイバプローブおよび受光用光ファイバプローブを有する光ファイバプローブ装置を被検体の検査領域の体表上、例えば、頭部上に装着して光計測を行う。そのような生体光計測装置の例として、特許文献1記載の従来技術がある。
【特許文献１】特開2002−291751号公報
【０００４】
特許文献1記載の生体光計測装置では、網目状から成る光導波路ガイドや接合部材、クッション部材、接触部材等の格子点上の光導波路ガイドに、光導波路保持部で保持した光導波路部(プローブ)を挿入し、それにより光計測を行う構造となっていた。
【発明の開示】
【発明が解決しようとする課題】
【０００５】
本発明者は、上記従来技術を検討した結果、以下の問題点を見い出した。
すなわち、特許文献1記載の生体光計測装置では、光導波路部(プローブ)を光導波路ガイドに挿入した後、それらを用いて被検体の光計測を行っていると、被検体が動いた場合等に光導波路部(プローブ)が光導波路ガイドから取れやすく、その固定方法について開示されてはいなかった。
【０００６】
本発明の目的は、プローブを好適に装着することが可能な生体光計測装置を提供することにある。
【課題を解決するための手段】
【０００７】
本発明によれば、被検体に光導波路を介して光を照射する光照射手段と、該光照射手段から照射され前記被検体内部を伝播した光を光導波路を介して集光する集光手段とを備えたプローブと、円筒形状をしていて中に前記プローブを挿入することにより前記プローブを保持するソケットとを備え、前記被検体内部の代謝物を計測するようにした生体光計測装置において、前記プローブには溝が設けられ、前記ソケットは前記円筒形状の内面に突起部が設けられ、前記溝に前記突起部を嵌め合わせることにより、前記プローブは前記ソケットに固定されることを特徴とする生体光計測装置が提供される。
【発明の効果】
【０００８】
本発明によれば、プローブを好適に装着することが可能な生体光計測装置を提供することができる。
【発明を実施するための最良の形態】
【０００９】
以下、本発明の実施の形態を添付図面に基づいて詳細に説明する。
【実施例１】
【００１０】
図1(a)は、本発明の実施例1において、ファイバケーブル2及びその先端に備えられたファイバ先端具3を、ソケット1に装着した様子である。図1(b)は、図1(a)のA−A’断面を右から見た図である。ただし、実施例1においてソケット1は、特許文献1における光導波路ガイドに相当するものであり、ファイバケーブル2及びファイバ先端具3は概ね、特許文献1における光導波路部(プローブ)に相当するものである。ファイバ先端具3はファイバケーブル2の先端に設けられ、操作者がファイバケーブル2をソケット1に装着しやすくするためのもの(プローブ)であり、9はソケット1にファイバケーブル2をしっかりと装着するために用いられる輪ゴム、10はファイバ先端具に加工された溝である。図1(b)の例では溝10はファイバ先端具3の挿入方向に等間隔に4つ設けられている。
【００１１】
図1(a)及び(b)に概略が示されているように、ソケット1はほぼ円筒形状で真ん中に穴が空けられた形状になっている。一方、ファイバ先端具3にはファイバケーブル2が接続されていて、先が尖がったほぼ円錐形状の形をしている。ファイバ先端具3の先はソケット1の穴に差し込まれ、先が被検体に接するように固定される。そのように固定することにより、生体光計測ができるようになっている。また、ソケット1は隣合うソケット1(図示せず。)と被検体接触部1dにより接続されるようになっていて、そのことにより3×3や4×4の各格子点上に照射用光プローブおよび受光用光プローブを配置して、光計測を行うことができるようになっている。
【００１２】
本実施例では特に、図1(b)で示されたように、ファイバケーブル2及びファイバ先端具3をソケット1に装着した状態において、ファイバ先端具3を輪ゴム9で外側から押さえられる構造になっているので、ファイバケーブル2及びファイバ先端具3が外れにくくなる。次に、図2および図3を用い、より詳細な構造を説明する。
【００１３】
図2(a)および(b)は、輪ゴム9を付けない状態でのソケット1の詳細な構造を示した図であり、図2(b)は図2(a)におけるB−B’断面を上から見た図である。ソケット1は図2(a)及び図2(b)に示すように、ほぼ円筒形状であるが、ほぼ円筒形状の軸方向片側から、前記軸に沿って、ほぼ円筒形状の上部1a及び中間部1b及び下部1cと、生体により密着させられるような形状の被検体接触部1dとから成っている。そして、6で示した位置の中間部1bにおいて溝6が掘られていて、中間部1bが円筒の径方向に短くなっている。そして、そこに輪ゴム9を嵌めることができるようになっている。
【００１４】
そして、図2(b)によれば、ソケット1は中央に穴11が空けられて、その中にファイバ先端具10を差し込めるようになっている。また、中間部1bは上側の辺8aと下側の辺8bに更に深い溝が直線的に掘られている。そして、直線的な更に深い溝の穴11の中心に対する距離は、穴11の内径より短くなっているので、溝6は貫通穴12aと12bを介して穴11へ貫通している。中間部1bをこのような構造にすれば、貫通穴12a及び12bを介して、輪ゴム9はファイバ先端具3をより強く固定することができる。その様子を図3を用い、更に詳細に説明する。
【００１５】
図3(a)および(b)は、輪ゴム9を付けた状態におけるソケット1の詳細な構造を示した図であり、図3(b)は図3(a)におけるC−C’断面を上から見た図である。図3(b)によれば、輪ゴム9は中間部1bの外枠に沿って嵌められているが、特に中間部1bの上側の辺8aと下側の辺8bの一部である貫通穴12aと12bによって穴11の中に収められたファイバ先端具10に、輪ゴム9の一部9a及び9bが接しているので輪ゴム9の反力により強く、ファイバ先端具10を固定することができる。このような構造にすれば、図1(b)においてソケット1の中間部1bに輪ゴム9を嵌めた状態で穴11の中にファイバ先端具3を挿入すると、ファイバ先端具3の溝10でない部分が中間部1bを通過する際には、輪ゴム9が外側に逃げる。そして、ファイバ先端具3の溝10の部分が中間部1を通過すると、輪ゴム9の一部9a及び9bが貫通穴12aと12bを介して穴11内に突起し溝10に嵌り、その状態で輪ゴム9の反力により一度止まる。そして、更にファイバ先端具3を挿入すると、再び、輪ゴム9が外側に逃げ、次の溝10で止まるようになっている。図1(b)の例によれば、溝10はファイバ先端具3の挿入方向に等間隔に4つ設けられているので、4つある内のどの溝10に輪ゴム9の一部9a及び9bを嵌らせるかによって、ファイバ先端具3の被検体に対する位置を近づけて固定したり遠ざけて固定したり調節することができる。
【００１６】
本発明は上記実施例に限定されるものではなく、本発明の要旨を逸脱しない範囲で種々に変形して実施できる。例えば、ファイバ先端具3を強く固定するために用いた貫通穴12aと12bは2つ設けたが、1つあるいは3つ以上でも良いことは言うまでもない。また、ファイバ先端具3に設けられる溝10の数も、4つでなくてもその他の数でも良い。また、穴11の形状は円形でなくても良く、三角形あるいは四角形でも良い。また、ソケット1に設置する中間部1bの数は1つでなくても良く、ソケット1の軸方向の長さを長くして、2つ以上の中間部1bを設けて2つ以上の輪ゴムでファイバ先端具3を固定できるようにしても良い。また、ソケット1も、ほぼ円筒形状でなくても良く、三角柱や四角柱等でも良い。
【図面の簡単な説明】
【００１７】
【図１】本発明の実施例1において、ファイバケーブル2及びその先端に備えられたファイバ先端具3を、ソケット1に装着した様子を示す図。
【図２】輪ゴム9を付けない状態でのソケット1の詳細な構造を示す図。
【図３】輪ゴム9を付けた状態におけるソケット1の詳細な構造を示す図。
【符号の説明】
【００１８】
１  ソケット、１ｄ  被検体接触部、２  ファイバケーブル、３  ファイバ先端具、９  輪ゴム、１０  溝
【図１】
2006201114.tif 000003
【図２】
2006201114.tif 000004
【図３】
2006201114.tif 000005